(57)【要約】【課題】意匠性を高めつつ、便蓋を外した際に露出する開閉機構の部材を隠すことができる便器装置を提供する。【解決手段】便器装置１００は、便器１１と、便蓋１６を回動自在に支持可能な回動軸２２，２３と、回動軸２２，２３が設けられた開閉機構２１を有する機能部２０と、機能部２０を覆う第一カバー部３０を有するカバー２と、を備え、カバー２は、第一カバー部３０から突出する回動軸２２，２３を覆う回動軸カバー部４９を有し、回動軸カバー部４９の側面４２ｂは、カバー２における他の部分の側面３３と同一平面上に配置され、回動軸カバー部４９の上面４９ｂは、カバー２における第一カバー部３０の上方に配置される部分の上面４１ｂと同一平面上に配置されていることを特徴とする。【選択図】図１
2020110474.tif 000002
【特許請求の範囲】
【請求項１】
便器と、
便蓋を回動自在に支持可能な回動軸と、
該回動軸が設けられた開閉機構を有する機能部と、
該機能部を覆う第一カバー部を有するカバーと、を備え、
該カバーは、前記第一カバー部から突出する前記回動軸を覆う回動軸カバー部を有し、
該回動軸カバー部の側面は、前記カバーにおける他の部分の側面と同一平面上に配置され、
前記回動軸カバー部の上面は、前記カバーにおける前記第一カバー部の上方に配置される部分の上面と同一平面上に配置されていることを特徴とする便器装置。
【請求項２】
前記第一カバー部には、前記機能部へのアクセスを可能とする開口部が形成され、
前記カバーは、前記開口部を覆う第二カバー部を有し、
前記回動軸カバー部は、前記第二カバー部に設けられている請求項１に記載の便器装置。
【請求項３】
前記便器の上部に沿う着座姿勢から起立した起立姿勢まで回動自在な便座を備え、
前記第二カバー部は、前記起立姿勢の前記便座に当接する当接部を有する請求項２に記載の便器装置。
【請求項４】
前記便座は、
使用者が着座可能な着座部と、
前記着座姿勢で、前記着座部から後方に延び、前記機能部に回動自在に支持される連結部と、を有し、
前記当接部は、前記連結部に当接可能とされている請求項３に記載の便器装置。
【発明の詳細な説明】
【技術分野】
【０００１】
本発明は、便器装置に関するものである。
【背景技術】
【０００２】
従来から、便蓋や便座が本体部に設けられた開閉機構等により回動（開閉）可能に設けられた便器装置が知られている（例えば下記の特許文献１参照）。
【０００３】
また、店舗や公共施設に設置される便器装置では、便蓋を取り外されて（便蓋が無い状態で）設置される場合がある。便蓋を取り外すと、本体部から開閉機構の回動軸が突出しており、使用者が回動軸と接触することを防ぐために、回動軸を覆う部材を設けることがある。
【先行技術文献】
【特許文献】
【０００４】
【特許文献１】特開２００７−３１９４１０号公報
【発明の概要】
【発明が解決しようとする課題】
【０００５】
しかしながら、上記のように回動軸を覆う態様では、便器装置の後部には、機能部を覆う本体カバー及び本体カバー等を覆うトップカバーの他に、回動軸を覆う部材が露出しており、外観の統一性や一体感に劣るという問題点がある。
【０００６】
そこで、本発明は、上記事情に鑑みてなされたものであり、意匠性を高めつつ、便蓋を外した際に露出する開閉機構の部材を隠すことができる便器装置を提供する。
【課題を解決するための手段】
【０００７】
上記目的を達成するために、本発明は以下の手段を採用している。
すなわち、本発明に係る便器装置は、便器と、便蓋を回動自在に支持可能な回動軸と、該回動軸が設けられた開閉機構を有する機能部と、該機能部を覆う第一カバー部を有するカバーと、を備え、該カバーは、前記第一カバー部から突出する前記回動軸を覆う回動軸カバー部を有し、該回動軸カバー部の側面は、前記カバーにおける他の部分の側面と同一平面上に配置され、前記回動軸カバー部の上面は、前記カバーにおける前記第一カバー部の上方に配置される部分の上面と同一平面上に配置されていることを特徴とする。
【０００８】
このように構成された便器装置では、便蓋を外した際には、便蓋を回動自在に支持可能な回動軸が、第一カバー部から突出している。回動軸はカバーの回動軸カバー部に覆われて、隠されるため、使用者が回動軸に接触することが抑制される。
また、回動軸カバー部の側面はカバーにおける他の部分の側面と同一平面上に配置されている。よって、回動軸バー部の側面とカバーにおける他の部分の側面との間に段差が生じることがなく、使用者が側方に衝突した際の安全性を高めることができるとともに、側面のデザイン性を高めることができる。
また、回動軸カバー部の上面は、カバーにおける第一カバー部の上方に配置される部分の上面と同一平面上に配置されている。よって、回動軸カバー部の上面とカバーにおける第一カバー部の上方に配置される部分の上面との間に段差が生じることがなく、使用者が上方に衝突した際の安全性を高めることができるとともに、上面のデザイン性を高めることができる。
【０００９】
また、本発明に係る便器装置は、前記第一カバー部には、前記機能部へのアクセスを可能とする開口部が形成され、前記カバーは、前記開口部を覆う第二カバー部を有し、前記回動軸カバー部は、前記第二カバー部に設けられていることが好ましい。
【００１０】
このように構成された便器装置では、回動軸カバー部が設けられた第二カバー部を外して、第一カバー部の開口部から機能部にアクセスすることができる。
【００１１】
また、本発明に係る便器装置は、前記便器の上部に沿う着座姿勢から起立した起立姿勢まで回動自在な便座を備え、前記第二カバー部は、前記起立姿勢の前記便座に当接する当接部を有することが好ましい。
【００１２】
このように構成された便器装置では、第二カバー部の当接部は起立姿勢の便座に当接するため、便座の回動を規制することができる。
【００１３】
また、本発明に係る便器装置では、前記便座は、使用者が着座可能な着座部と、前記着座姿勢で、前記着座部から後方に延び、前記機能部に回動自在に支持される連結部と、を有し、前記当接部は、前記連結部に当接可能とされていてもよい。
【００１４】
一般的に、便座の着座部が第二カバー部等に当接してしまうと、着座部に当接した箇所の傷等が生じてしまう虞がある。このように構成された便器装置では、便座において第二カバー部に当接するのは連結部であるため、着座部に傷等が生じることがなく、使用感が劣ることがない。
【発明の効果】
【００１５】
本発明に係る便器装置によれば、意匠性を高めつつ、便蓋を外した際に露出する開閉機構の部材を隠すことができる。
【図面の簡単な説明】
【００１６】
【図１】本発明の一実施形態に係る便器装置の便座の着座姿勢を示す斜視図である。
【図２】本発明の一実施形態に係る便器装置の便座の起立姿勢を示す側面図である。
【図３】本発明の一実施形態の変形例に係る便器装置の便座の着座姿勢を示す斜視図である。
【発明を実施するための形態】
【００１７】
本発明の一実施形態に係る便器装置について、図面を用いて説明する。
図１は、本発明の一実施形態に係る便器装置の便座の着座姿勢を示す斜視図である。
図１に示すように、便器装置１００は、下方に凹む開口部１１ａが設けられた便器１１と、便器１１に設置された便座装置１２と、を備えている。
なお、下記の説明において、利用者が便座装置１２の便座５に着座した状態で前方を向く方向を「前方」とし、反対側を「後方」とし、これらを結ぶ方向を前後方向とする。また、便座５に着座した利用者から見て左側を「左側」とし、右側を「右側」とし、これらを結ぶ方向を左右方向とする。
【００１８】
便座装置１２は、便器１１の上部に設けられた本体部１と、本体部１に開閉可能に設けられた便座５と、を備えている。
本実施形態の便器装置１００では、便器１１の開口部１１ａを覆う便蓋１６が元々設けられていたが、取り外された形態とされている。図１では、元々設けられていた便蓋１６を二点鎖線で示している。
【００１９】
本体部１は、便器１１の後部において、便器１１の上部に設けられたベース部（不図示）上等に配置されている。
【００２０】
本体部１は、各種機能を有する機能部２０と、機能部２０を収容するカバー２と、を有している。
【００２１】
機能部２０とは、便座５を回動させるための便座回動ユニット、便蓋１６を回動させるための便蓋回動ユニット（開閉機構）２１、局部洗浄装置、脱臭装置などの各種機能装置および各種機能部品、これらの各種機能装置および各種機能部品を制御する制御部、これらの各種機能装置および各種機能部品に電源を供給する電源部などを示している。
【００２２】
カバー２は、機能部２０を覆う本体カバー（第一カバー部）３０と、本体カバー３０の側面側及び上面側（外面側）等を覆うトップカバー（第二カバー部）４０と、を有している。トップカバー４０は、本体カバー３０に不図示の係止部材により着脱可能に係止されている。
【００２３】
本体カバー３０は、機能部２０の上方を覆う上面パネル部３１と、機能部２０の左右両側を覆う上部側面パネル部３２及び下部側面パネル部３３と、機能部２０の後方を覆う後面パネル部３４と、を有している。上面パネル部３１、上部側面パネル部３２、下部側面パネル部３３及び後面パネル部３４は、一体として形成されている。
【００２４】
上面パネル部３１は、機能部２０の上方に配置されている。上面パネル部３１には、機能部２０へのアクセスを可能にする開口部３１ｈが形成されている。
【００２５】
上部側面パネル部３２は、下部側面パネル部３３よりも、平面視で内側（機能部２０の中心側）に配置されている。これにより、上部側面パネル部３２の上端に沿って段部３６が形成されている。
【００２６】
本体カバー３０の前部では、上面パネルの左右両端部から下方に延びる軸受け壁部３７が設けられている。
【００２７】
各軸受け壁部３７には、左右方向に貫通する貫通孔３７ｈ，３７ｊが、前後方向に離間して２箇所に形成されている。
【００２８】
前側の貫通孔３７ｈには、便座回動ユニットの便座回動軸２６が配置されている。便座回動軸２６に便座５が回動自在に支持されている。
【００２９】
後側の貫通孔３７ｊには、便蓋回動ユニット２１の便蓋回動軸（回動軸）２２，２３が配置されている。換言すると、便蓋回動軸２２，２３は、本体カバー３０の軸受け壁部３７から、左右側方に突出している。便蓋回動軸２２，２３は、便蓋１６を回動自在に支持可能である。本実施形態では、左側の便蓋回動軸２２は、電動開閉ユニット（不図示。以下同じ。）に接続されたものである。
【００３０】
軸受け壁部３７の下端と下部側面パネル部３３の上端とは、傾斜壁部３９で連結されている。傾斜壁部３９は、前方に向かうにしたがって次第に下方に向かうように傾斜している。傾斜壁部３９の前端において、左右方向の両端は、下部側面パネル部３３の前端に連結されている。
【００３１】
本体カバー３０には、便蓋回動軸２３の後方に前方を向く前壁部３５が設けられている。
【００３２】
トップカバー４０は、上面カバー部４１と、側面カバー部４２と、後面カバー部４３と、を有している。
【００３３】
上面カバー部４１は、本体カバー３０の上面パネル部３１の上面に沿って配置されている。上面カバー部４１は、板状に形成されている。上面カバー部４１は、板厚方向を上下方向に向けて配置されている。上面カバー部４１は、平面視略矩形状に形成されている。上面カバー部４１の後部の左右両側の角部は、丸く形成されている。上面パネル部３１の上面には、段差がなく、平面状に形成されている。上面カバー部４１の前部の左右両端部は、便蓋回動軸２２，２３の上方に配置されている。
【００３４】
側面カバー部４２は、上面カバー部４１の左右両端から下方に延びている。側面カバー部４２は、上部側面パネル部３２の左右側方に配置されている。側面カバー部４２は、板状に形成されている。側面カバー部４２は、板厚方向を左右方向に向けて配置されている。
【００３５】
側面カバー部４２は、下部側面パネル部３３の上側に配置されている。側面カバー部４２の下端は、本体カバー３０の段部３６に当接配置されている。側面カバー部４２と下部側面パネル部３３とは、同一平面上に配置されている。詳細には、側面カバー部４２における便蓋回動軸２２，２３の側方に配置される部分の側面４２ｂは、トップカバー４０の側面カバー部４２における他の部分の側面４２ｃ及び本体カバー３０の下部側面パネル部３３の側面３３ｃと同一平面上に配置されている。側面カバー部４２の前端部は、便蓋回動軸２２，２３の左右側方に配置されている。
【００３６】
後面カバー部４３は、上面カバー部４１の後端から下方に延びている。後面カバー部４３は、板状に形成されている。後面カバー部４３は、板厚方向を前後方向に向けて配置されている。後面カバー部４３は、後面パネル部３４の上側に配置されている。後面カバー部４３の下端は、後面パネル部３４に当接配置されている。
【００３７】
上面カバー部４１の前端には、下方に延びる前縁部４６が設けられている。前縁部４６は、下方に向かうにしたがって次第に前方に向かうように傾斜している。
【００３８】
前縁部４６の左右両端部には、下方に延びる前壁部４７が設けられている。前壁部４７は、便蓋回動軸２２，２３の前方に配置されている。
【００３９】
上面カバー部４１の前部の左右両端部、側面カバー部４２の前端部、前縁部４６の左右両端の部分及び前壁部４７により、便蓋回動軸２２，２３を覆う回動軸カバー部４９が形成されている。
【００４０】
図２は、便器装置１００の便座５の起立姿勢を示す側面図である。
便座５は、図１に示す便器１１の上部に沿って配置される着座姿勢から、図２に示す起立した起立姿勢まで回動自在とされている。
【００４１】
図１に示すように、便座５は、環状をなす着座部（使用者が着座する部分）５１と、着座姿勢で着座部５１の後端部の左右両端部からそれぞれ後方に延びる腕部（連結部）５２と、を有している。腕部５２は、便座回動ユニットに接続されている。
【００４２】
図２に示すように、便座５は起立姿勢で、腕部５２における起立姿勢で後面（着座姿勢で上面）が、トップカバー４０の前縁部４６の左右両端部（当接部）に当接している。これにより、便座５の回動が規制される。
【００４３】
このように構成された便器装置１００では、便蓋１６を外した際には、便蓋１６を回動自在に支持可能な便蓋回動軸２２，２３が、本体カバー３０から突出している。本体カバー３０の外面側にはトップカバー４０が配置され、便蓋回動軸２２，２３はトップカバー４０の回動軸カバー部４９に覆われて、隠されるため、使用者が便蓋回動軸２２，２３に接触することが抑制される。また、トップカバー４０は機能部２０及び便蓋回動軸２２，２３を一体的に覆っているため、トップカバー４０が連続した外観となり、トップカバー４０の意匠性が高められる。
【００４４】
また、便蓋１６が設けられた態様で便座装置を便器１１に設置した後、便蓋１６が不要になった場合には、機能部２０及び本体カバー３０等の部材をそのままでトップカバー４０のみを交換することで、便座５が不要な態様に対応することができる。
【００４５】
また、側面カバー部４２における便蓋回動軸２２，２３の側方に配置される部分の側面４２ｂは、トップカバー４０の側面カバー部４２における他の部分の側面４２ｃ及び本体カバー３０の下部側面パネル部３３の側面３３ｃと同一平面上に配置されている。よって、側面カバー部４２と下部側面パネル部３３との間に段差が生じることがなく、使用者が左右側方に衝突した際の安全性を高めることができるとともに、側面のデザイン性を高めることができる。
【００４６】
また、トップカバー４０の上面カバー部４１には段差がなく、回動軸カバー部４９の上面４９ｂは、トップカバー４０の上面カバー部４１の上面における他の部分４１ｂと同一平面上に配置されている。よって、トップカバー４０の上面４９ｂ，４１ｂに段差が生じることがなく、使用者がトップカバー４０の上面４９ｂ，４１ｂに衝突した際の安全性を高めることができるとともに、トップカバー４０の上面４９ｂ，４１ｂのデザイン性を高めることができる。
【００４７】
また、回動軸カバー部４９が設けられたトップカバー４０を外して、本体カバー３０の開口部３１ｈから機能部２０にアクセスすることができる。
【００４８】
また、トップカバー４０の前縁部４６の左右両端部は起立姿勢の便座５の腕部５２に当接するため、便座５の回動を規制することができる。
【００４９】
また、一般的に、便座５の着座部５１がトップカバー４０等に当接してしまうと、着座部５１に当接した箇所の傷等が生じてしまう虞がある。便器装置１００では、便座５においてトップカバー４０に当接するのは腕部５２であるため、着座部５１に傷等が生じることがなく、使用感が劣ることがない。
【００５０】
また、トップカバー４０の側面カバー部４２及び後面カバー部４３は、本体カバー３０の段部３６及び後面パネル部３４にそれぞれ当接配置されている。よって、トップカバー４０と本体カバー３０部との間に隙間が生じないため、隙間に汚れ等入る虞がなく、清潔に保つことができる。
【００５１】
（変形例）
次に、本発明の一実施形態の変形例に係る便器装置について、主に図３を用いて説明する。
下記に示す実施形態の説明において、前述した部材と同一の部材には同一の符号を付して、その説明を省略する。
図３は、本発明の一実施形態の変形例に係る便器装置の便座の着座姿勢を示す斜視図である。
【００５２】
図３に示すように、本変形例では、便蓋回動軸２２Ａ，２３Ａが機能部２０の後端部に設けられている。
【００５３】
トップカバー４０Ａの上面カバー部４１Ａは、便蓋回動軸２２Ａ，２３Ａの上方に配置されている。トップカバー４０Ａの側面カバー部４２Ａは、便蓋回動軸２２Ａ，２３Ａの左右側方に配置されている。前壁部４７Ａは、上面カバー部４１Ａの左右両端部から下方に延びている。
【００５４】
本変形例では、上面カバー部４１Ａの後部の左右両端部、側面カバー部４２Ａの後部及び前壁部４７Ａにより、便蓋回動軸２２Ａ，２３Ａを覆う回動軸カバー部４９Ａが形成されている。
【００５５】
このように構成された便器装置１００Ａでは、便蓋１６Ａを外した際には、便蓋１６Ａを回動自在に支持可能な便蓋回動軸２２Ａ，２３Ａが、本体カバー３０から突出している。本体カバー３０の外面側にはトップカバー４０Ａが配置され、便蓋回動軸２２Ａ，２３Ａはトップカバー４０Ａの回動軸カバー部４９Ａに覆われて、隠されるため、使用者が便蓋回動軸２２Ａ，２３Ａに接触することが抑制される。また、トップカバー４０Ａは機能部２０及び便蓋回動軸２２Ａ，２３Ａを一体的に覆っているため、トップカバー４０Ａが連続した外観となり、トップカバー４０Ａの意匠性が高められる。
【００５６】
なお、本発明に係る便器装置１００は、上述した実施形態に限定されるものではなく、本発明の要旨を逸脱しない範囲で適宜の変更や置換等が可能である。
【００５７】
例えば、上記に示す実施形態では、トップカバー４０の前縁部４６の左右両端部は起立姿勢の便座５の腕部５２に当接する構成であるが、本発明はこれに限られず、便座５の回動を規制する部材を別途設ける構成であってもよい。
【００５８】
また、上記に示す実施形態では、本体カバー３０には上部に開口部３１ｈが形成され、トップカバー４０は開口部３１ｈの上方に配置されているが、本発明はこれに限られない。開口部が第一カバー部の側部に形成され、第二カバー部が当該開口部を覆うように、第一カバー部の側方に配置されていてもよい。
【００５９】
また、上記に示す実施形態では、回動軸カバー部４９はトップカバー４０の一部であるが、本発明はこれに限られない。回動軸カバー部が第二カバー部とは別体で構成されていてもよい。この場合には、回動軸カバー部が、本体カバー３０の軸受け壁部３７の後部３７ｂ、傾斜壁部３９の後部３９ｂ及び前壁部３５に沿うとともに、便蓋回動軸２２，２３を覆うように設けられていればよい。便蓋１６が不要になった場合には、回動軸カバー部を第二カバー部に取り付ければよい。
【符号の説明】
【００６０】
１…本体部
２…カバー
５…便座
１１…便器
１２…便座装置
１６…便蓋
２０…機能部
２１…便蓋回動ユニット（開閉機構）
２２，２３…便蓋回動軸（回動軸）
３０…本体カバー（第一カバー部）
３１…上面パネル部
３１ｈ…開口部
３２…上部側面パネル部
３３…下部側面パネル部
３４…後面パネル部
３６…段部
３７…軸受け壁部
３９…傾斜壁部
４０…トップカバー（第二カバー部）
４１…上面カバー部
４２…側面カバー部
４３…後面カバー部
４６…前縁部
４７…前壁部（当接部）
４９…回動軸カバー部
５１…着座部
５２…腕部（連結部）
１００…便器装置
【図１】
2020110474.tif 000003
【図２】
2020110474.tif 000004
【図３】
2020110474.tif 000005